(57)【要約】【課題】模倣品を収納して再利用することを防止し、容易に開封できるカートンを提供する。【解決手段】熱転写用メディアを収納するカートン１０は、底面１３と、４つの側面１１ａ、１１ｂ、１１ｃ、１１ｄと、上面１４とを有する。上面１４の一対の開口縁１６ａ、１６ｂに一対の側面１１ａ、１１ｂまで達する密封テープ１５が設けられている。一対の側面１１ａ、１１ｂに、密封テープ１５を囲むコ字状易破断線２０が設けられ、コ字状易破断線２０の上方にスリット２１が設けられている。【選択図】図１
2016169014.tif 000002
【特許請求の範囲】
【請求項１】
熱転写用メディアを収納するカートンにおいて、
底面と、４つの側面と一対の開口縁をもつ上面とを備え、
前記上面の一対の開口縁を覆って、上面から対向する一対の側面まで達する密封テープを設け、
前記密封テープが延びる少なくとも一方の側面に、密封テープ端部に対応して破断領域を形成し、この破断領域は上方が開放されたコ字状易破断線と、コ字状易破断線の上方に設けられたスリットとにより区画されることを特徴とするカートン。
【請求項２】
前記易破断線に連続して、当該側面を破断して開口を形成する開口線を設けたことを特徴とする請求項１記載のカートン。
【請求項３】
前記破断領域に、破断領域を破断する際、折曲げられる折罫を設けたことを特徴とする請求項１または２記載のカートン。
【請求項４】
前記破断領域は、密封テープが延びる一対の側面に設けられていることを特徴とする請求項１乃至３のいずれか記載のカートン。
【発明の詳細な説明】
【技術分野】
【０００１】
本発明は熱転写用メディアを収納するカートンに係り、とりわけ容易に開封することができ、かつ開封後の再利用を防止することができる熱転写用メディアを収納するカートンに関する。
ここで、本明細書では、熱転写方式のプリンタに用いられ、熱転写シートと称される昇華型インクリボンまたは熱溶融型インクリボンや、受像紙を総称して、「熱転写用メディア」と記載するものである。
【背景技術】
【０００２】
従来より、熱転写プリンタで使用される熱転写用メディアは、カートン内に収納されて運搬されている。
【０００３】
このような場合、熱転写シートおよび受像紙をカートンに収納した後、カートンは密封テープにより封止される。
【０００４】
使用時において、熱転写シートおよび受像紙が収納されたカートンに設けられている密封テープが剥がされ、カートンから熱転写シートおよび受像紙が外方へ取出される。
【０００５】
ところで、熱転写シートおよび受像紙が収納されたカートンは、開封後に再度、熱転写シートまたは受像紙の模倣品を収納して再利用されることがあり、このような再利用を防ぐ工夫が求められている。  
またカートンを容易に開封することも求められている。
【先行技術文献】
【特許文献】
【０００６】
【特許文献１】特開２００３−２００２９号公報
【特許文献２】特開２００９−５１５４０号公報
【特許文献３】特開２００９−５１５４１号公報
【特許文献４】特開２００９−１３７６３２号公報
【発明の概要】
【発明が解決しようとする課題】
【０００７】
本発明は、このような点を考慮してなされたものであり、開封後に模倣品を収納して再利用することを防止することができ、かつ容易に開封することができるカートンを提供することを目的とする。
【課題を解決するための手段】
【０００８】
本発明は、熱転写用メディアを収納するカートンにおいて、底面と、４つの側面と一対の開口縁をもつ上面とを備え、前記上面の一対の開口縁を覆って、上面から対向する一対の側面まで達する密封テープを設け、前記密封テープが延びる少なくとも一方の側面に、密封テープ端部に対応して破断領域を形成し、この破断領域は上方が開放されたコ字状易破断線と、コ字状易破断線の上方に設けられたスリットとにより区画されることを特徴とするカートンである。
【０００９】
本発明は、前記易破断線に連続して、当該側面を破断して開口を形成する開口線を設けたことを特徴とするカートンである。
【００１０】
本発明は、前記破断領域に、破断領域を破断する際、折曲げられる折罫を設けたことを特徴とするカートンである。
【００１１】
本発明は、前記破断領域は、密封テープが延びる一対の側面に設けられていることを特徴とするカートンである。
【発明の効果】
【００１２】
以上のように本発明によれば、カートンを容易に開封することができる。また開封後に模倣品をカートン内に収納して再利用することを未然に防ぐことができる。
【図面の簡単な説明】
【００１３】
【図１】本発明による熱転写用メディアを収納するカートンの一実施の形態を示す斜視図。
【図２】カートンの内部を示す平面図。
【発明を実施するための形態】
【００１４】
＜本発明の実施の形態＞
以下、図面を参照して本発明の実施の形態について説明する。  
図１および図２は、本発明による熱転写用メディアを収納するカートンの実施の形態を示す図である。
【００１５】
図１および図２に示すように、熱転写用メディアを収納するカートン１０は、底面１３と、４つの側面１１ａ、１１ｂ、１１ｃ、１１ｄと、上面１４とを備えている。
【００１６】
このうち上面１４は各々が開口縁１６ａ、１６ｂをもつ２つの部分１４ａ、１４ｂに区画され、上面１４の２つの部分１４ａ、１４ｂを立ち上げることにより上面１４が開口するようになっている。
【００１７】
また上面１４の各開口縁１６ａ、１６ｂは、密封テープ１５により覆われて封止され、密封テープ１５は対向する一対の側面１１ａ、１１ｂまで達している。
【００１８】
また密封テープ１５が延びる対向する一対の側面１１ａ、１１ｂに、密封テープ１５の端部１５ａを囲むようにして破断領域２０ａが形成されている。
【００１９】
また破断領域２０ａは、上部が開放されたコ字状易破断線２０と、コ字状易破断線２０の開放された上部に設けられたスリット２１とにより区画されている。
【００２０】
またコ字状易破断線２０の下部には、側面１１ａ、１１ｂを破断して開口２２ａを形成する開口線２２と、破断する際に折曲げられる折罫２３ａが形成されている。
【００２１】
さらにまた、コ字状易破断線２０の上部と下部の略中間には、破断領域２０ａを破断する際に折曲げられる折罫２３ｂが形成されている。
【００２２】
上記構成のうち、側面１１ａ、１１ｂに形成されたコ字状易破断線２０は、ミシン目等からなる易破断線となっている。またスリット２１は側面１１ａ、１１ｂを貫通する破断線から形成されている。
【００２３】
さらにまた、側面１１ａ、１１ｂに形成された開口線２２は、コ字状易破断線２０の下部に設けられ、この易破断線２０に連続して設けられている。このような開口線２２としては、例えばミシン目等から形成することができ、側面１１ａ、１１ｂを押圧して開口線２２から破断することにより、開口線２２と折罫２３ａにより規定された開口２２ａを形成することができる。
【００２４】
また図２に示すように、カートン１０内には少なくとも１つの熱転写用メディアが収納されており、例えば、１つの熱転写シート３０と、更に２つの受像紙３１、３１が収納されている。
【００２５】
次にこのような構成からなる本実施の形態の作用について説明する。  
まず図１および図２に示すように、カートン１０の上面１４の２つの部分１４ａ、１４ｂを立ち上げて上面１４を開口する。次に上面１４の開口から熱転写シート３０と、２つの受像紙３１、３１が収納される。
【００２６】
その後上面１４の２つの部分１４ａ、１４ｂの開口縁１６ａ、１６ｂが密封テープ１５により覆われて封止される。
【００２７】
使用にあたって、まず使用者は、側面１１ａに設けられた開口線２２内の領域（開口２２ａに対応する領域）を押圧して、側面１１ａを開口線２２に沿って破断し、折罫２３ａに沿って折曲げる。このようにして側面１１ａに開口線２２と折罫２３ａに沿った開口２２ａを形成することができる。
【００２８】
次に使用者は、側面１１ａの開口２２ａ内に指を挿入し、側面１１ａを掴んで上方へ引上げる。この場合、側面１１ａはコ字状易破断線２０に沿って破断され、コ字状易破断線２０の破断部はスリット２１まで達する。
【００２９】
このようにして密封テープ１５の端部１５ａを囲む破断領域２０ａが側面１１ａから破断される。この場合、破断領域２０ａは、折罫２３ｂに沿って外側へ折曲げられる。  
このとき破断領域２０ａに密封テープ１５の端部１５ａが密着している。
【００３０】
次に使用者は、破断領域２０ａをそのまま掴んで密封テープ１５を上面１４から引き剥がす。このように上面１４を開封することにより、カートン１０内の熱転写シート３０および受像紙３１を取出すことができる。
【００３１】
このように本実施の形態によれば、カートン１０の上面１４を開封する際、側面１１ａの破断領域２０ａを破断して密封テープ１５を上面１４から引き剥がしている。このためカートン１０から熱転写シート３０および受像紙３１、３１を取出した後、カートン１０内に熱転写シート３０または受像紙３１の模倣品を収納してカートンの上面１４を再度密封しても、側面１１ａの破断領域２０ａが側面１１ａから破断した状態となっており、かつ側面１１ａが折罫２３ｂに沿って折曲げられているため、模倣品を収納した後にカートン１０を再利用することが難しくなる。
【００３２】
またカートン１０の上面１４を開封する際、まず破断領域２０ａを破断し、この破断領域２０ａをそのまま掴んで密封テープ１５を上面１４から引き剥がすことができ、このため密封テープ１５を上面１４から容易かつ簡単に引き剥がすことができる。
【００３３】
＜本発明の変形例＞
上記実施の形態において、カートン１０の対向する一対の側面１１ａ、１１ｂの双方にコ字状易破断線２０とスリット２１とにより区画された破断領域２０ａを形成した例を示したが、これに限らず側面１１ａのみまたは側面１１ｂのみにコ字状易破断線２０とスリット２１とにより区画された破断領域２０ａを形成してもよい。
【００３４】
また、上記実施の形態において、開口線２２ａを形成するため開口線２２と折罫２３ａを設けた例を示したが、側面１１ａに予め貫通した開口を設けておいてもよい。
【００３５】
さらにまた密封テープ１５の端部１５ａを囲むように破断領域２０ａを設けた例を示したが、これに限らず破断領域２０ａを形成する易破断線２０を密封テープ１５の端部１５ａを囲むことなく、端部１５ａの周縁に沿って設けてもよい。
【００３６】
さらにまたカートン１０内に１つの熱転写シート３０と、２つの受像紙３１、３１を収納した例を示したが、カートン１０内に１つまたは複数個の熱転写シート３０のみを収納してもよいし、カートン１０内に１つまたは複数個の受像紙３１のみを収納してもよい。
【符号の説明】
【００３７】
１０  カートン
１１ａ、１１ｂ、１１ｃ、１１ｄ  側面
１３  底面
１４  上面
１４ａ、１４ｂ  上面の部分
１５  密封テープ
１５ａ  端部
１６ａ、１６ｂ  開口縁
２０  易破断線
２０ａ  破断領域
２１  スリット
２２  開口線
２２ａ  開口
２３ａ、２３ｂ  折罫
【図１】
2016169014.tif 000003
【図２】
2016169014.tif 000004